(57)【要約】【課題】  部品点数を少なくして製作費用の低減や製作期間の短縮が可能で、しかも外形寸法が小さな耐圧防爆構造の回転電機の端子箱を提供する。【解決手段】  端子箱１１は、蓋１２および座１３を接合して構成される。蓋１２は鋳物により一体成形され、座１３との接合面１２ａの外側に位置する外表面を曲面状に膨らませた形状に構成されている。座１３も鋳物により一体成形され、その外表面には一方向に延びる外部補強リブ１３ｄが形成され、また内表面には外部補強リブ１３ｄと交差する方向に延びる内部補強リブ１３ｃが形成されている。蓋１２および座１３は、それぞれ補強リブを格子状に溶接して取り付ける構成を有していない。【選択図】  図１
2006149085.tif 000002
【特許請求の範囲】
【請求項１】
回転電機本体に付設され、蓋および座を接合して構成される耐圧防爆構造の端子箱において、前記蓋を鋳物により一体成形し、前記座との接合面の外側に位置する外表面を曲面状に膨らませた形状に構成したことを特徴とする回転電機の端子箱。
【請求項２】
前記蓋の外表面の曲面をその頂点が一方向へずれるように構成したことを特徴とする請求項１に記載の回転電機の端子箱。
【請求項３】
前記蓋の内表面の曲面を前記接合面の内縁部よりも内側に配置させたことを特徴とする請求項１または２に記載の回転電機の端子箱。
【請求項４】
回転電機本体に付設され、蓋および座を接合して構成される耐圧防爆構造の端子箱において、前記座を鋳物により一体成形し、その外表面には一方向に延びる外部補強リブを形成し、内表面には前記外部補強リブと交差する方向に延びる内部補強リブを形成したことを特徴とする回転電機の端子箱。
【請求項５】
請求項１ないし３のいずれかに記載の端子箱の蓋と請求項４に記載の端子箱の座により構成したことを特徴とする回転電機の端子箱。
【発明の詳細な説明】
【技術分野】
【０００１】
本発明は、電動機、発電機などの回転電機本体に付設され、蓋および座を接合して構成される耐圧防爆構造を有する回転電機の端子箱に関するものである。
【背景技術】
【０００２】
電動機、発電機などの回転電機本体に付設され、蓋および座を接合して構成される端子箱においては、可燃性ガスまたは引火性液体により引火爆発の危険性がある場所に設置する場合には、周囲の設備の安全性向上を図るために、端子箱内部で爆発性ガスによる爆発が起こっても端子箱がその圧力に耐え、かつ外部の爆発性ガスに引火するおそれのないようにした全閉の耐圧防爆構造が採用されている。耐圧防爆構造の従来の端子箱においては、端子箱を構成する蓋および座をそれぞれ折曲げ成形した鋼板に、機械的強度を満足させるためにそれぞれ縦横方向に格子状の補強リブを多数溶接して構成している。
【０００３】
図２（ａ）ないし（ｃ）は従来の回転電機本体に付設される耐圧防爆構造の端子箱を示し、（ａ）は端子箱の外形を示す正面図、（ｂ）は（ａ）の右側面図、（ｃ）は（ｂ）のＣ−Ｃ線矢視断面図である。図２において、端子箱１は、それぞれ鋼板により略三角形の容器状に形成された蓋２と座３からなり、それぞれの接合面２ａ，３ａの周囲に形成したフランジ２ｂ，３ｂを介してボルトなどの締結具４により接合して構成されている。
【０００４】
端子箱１は全体形状が直方体に構成され、蓋２と座３の接合面２ａ，３ａは、座３の回転電機本体への取り付け面に対して傾斜する方向に延びるように設けられている。蓋２には、機械的強度を向上するために外表面に縦横方向に延びるように格子状の補強リブ５が溶接して取り付けられており、また端子箱１の取り付け方向によっては、その補強リブ５の格子内に水が溜まるおそれがあるので、一部の補強リブ５の取り付け部には水が流出するように孔（図示せず）が形成されるように構成されている。
【０００５】
一方、座３においても、蓋２の補強リブ５と同様に外表面に補強リブ６が縦横方向に延びるように格子状に溶接して取り付けられており、また必要に応じて水抜き用の孔が形成されている。座３には、一つの側面に外部ケーブルを引き込むケーブル引き込み口７が設けられ、また取り付け面に回転電機本体からのケーブルを引き込むケーブル引き出し口８が設けられている。
【０００６】
そしてこの端子箱１は、座３が回転電機本体に取り付けられ、ケーブル引き込み口７およびケーブル引き出し口８を介して気密を保持できる状態に維持してケーブルを引き込んで接続した後、蓋２を被せ、それぞれのフランジ２ｂ，３ｂを締結具４により締結して接合面２ａ，３ａを接合して構成される。
【発明の開示】
【発明が解決しようとする課題】
【０００７】
上述のように、従来の耐圧防爆構造の端子箱１においては、蓋２および座３として、鋼板に格子状の補強リブ５，６を溶接して取り付けて強度を向上させる構成を採用しているため、部品点数が多くなり、製作費用が増加するほか製作期間も長くなる問題があった。また鋼板に補強リブ５，６を溶接する構造であることから、端子箱１の形状の自由度が小さく、端子箱１の蓋２と座３を組み合わせた状態での全体形状が直方体となり、さらに外表面に縦横方向に補強リブ５，６が溶接されるので、非耐圧防爆構造の端子箱と比較して外形寸法が大きくなっていた。このため端子箱１を回転電機本体と組み合わせた状態での全体寸法も非耐圧防爆構造のものと比較して大きくなる問題があった。
【０００８】
部品点数を少なくするために補強リブを有する端子箱を鋳物で製作することが考えられるが、この場合補強リブの存在により、鋳物型（木型、金型などの鋳込み型）を抜く方向が同一方向にできないため、鋳物型を細分化する必要があり、鋳物型が複雑になってその製作に多大な時間や費用を要することになる。
【０００９】
本発明は、上記のような事情を考慮してなされたもので、部品点数を少なくして製作費用の低減や製作期間の短縮を図ることができ、しかも外形寸法を小さくすることのできる耐圧防爆構造の回転電機の端子箱を提供することを目的とする。
【課題を解決するための手段】
【００１０】
上記の課題を解決するため、本発明の回転電機の端子箱は、回転電機本体に付設され、蓋および座を接合して構成される耐圧防爆構造の端子箱において、蓋を鋳物により一体成形し、座との接合面の外側に位置する外表面を曲面状に膨らませた形状に構成したことを特徴とする。
【００１１】
また本発明の回転電機の端子箱は、回転電機本体に付設され、蓋および座を接合して構成される耐圧防爆構造の端子箱において、座を鋳物により一体成形し、その外表面には一方向に延びる外部補強リブを形成し、内表面には外部補強リブと交差する方向に延びる内部補強リブを形成したことを特徴とする。
【発明の効果】
【００１２】
本発明によれば、蓋は鋳物により一体成形され、しかも曲面状に膨らませて構成されているので、十分な機械的強度を得ることができ、従来のように補強リブを溶接して取り付ける作業が不要となり、部品点数も少なくなる。このため製作費用の低減や製作期間の短縮を図ることができ、しかも外形寸法を小さくすることができる。
【００１３】
また本発明によれば、座は鋳物により一体成形され、しかも内表面および外表面には、鋳物型の構造を複雑にすることなく内部補強リブおよび外部補強リブがそれぞれ形成されるので、十分な機械的強度を得ることができ、従来のように格子状に補強リブを溶接して取り付ける作業が不要となり、部品点数も少なくなる。このため製作費用の低減や製作期間の短縮を図ることができ、しかも外形寸法を小さくすることができる。
【発明を実施するための最良の形態】
【００１４】
以下本発明の実施の形態を説明する。図１（ａ）ないし（ｃ）は本発明における回転電機の端子箱を示し、（ａ）は端子箱の外形を示す正面図、（ｂ）は（ａ）の右側面図、（ｃ）は（ｂ）のＣ−Ｃ線矢視断面図である。図１において、回転電機本体に付設される耐圧防爆構造の端子箱１１は、それぞれ鋳物により一体成形された蓋１２と座１３を有し、それぞれの接合面１２ａ，１３ａの周囲に形成されたフランジ１２ｂ，１３ｂを介してボルトなどの締結具１４により接合して構成される。端子箱１１の蓋１２と座１３の接合面１２ａ，１３ａは、座１３の回転電機本体への取り付け面に対して傾斜する方向に延びるように設けられている。
【００１５】
蓋１２は、接合面１２ａの外側に位置する外表面を、鋳物型の抜き方向である接合面１２ａの直角方向に対して窪みがなく抜き勾配を考慮した曲面状に膨らませた形状に構成されており、これにより直線状に形成した場合よりも外形寸法を小さくして機械的強度を向上することができ、鋳物型の抜き作業に支障が生じないようになっている。また蓋１２の外表面の曲面は、接合面からの頂点が一方向へずれるように構成されており、後述する座１３と接合した場合に高さ寸法が増大せず、かつ内部容積が確保できるように構成されている。
【００１６】
さらに蓋１２は、内表面の曲面が接合面１２ａの内縁部よりも内側に配置され、かつ窪みがなく抜き勾配が考慮されて構成されており、蓋１２の内表面においても鋳物型の抜き作業に支障が生じないようになっている。これにより鋳物型が上下に二分割される単純な構造であっても、蓋１２を鋳物により一体成形できるようになる。
【００１７】
一方、座１３においても鋳物により一体成形されている。この座１３は、側面に外部ケーブルを引き込むケーブル引き込み口７を設け、また取り付け面に回転電機本体からのケーブル引き出し口８を設けるために、傾斜した接合面を有する略三角形の容器状に構成されている。
【００１８】
座１３の外表面には、一方向に延びる複数条の外部補強リブ１３ｄが間隔をおいて形成され、また内表面には外部補強リブ１３ｄと交差する方向に延びる複数条の内部補強リブ１３ｃが間隔をおいて形成されている。本実施の形態においては、座１３の長手方向に延びるように内部補強リブ１３ｃを設け、内部補強リブ１３ｃと交差する方向に延びるように外部補強リブ１３ｄを設けている。
【００１９】
これら外部補強リブ１３ｄおよび内部補強リブ１３ｃは、内外で格子状に組み合わさっていることにより、座１３の機械的強度を高めており、またそれぞれ窪みがなく抜き勾配が考慮された形状をなし、外表面または内表面ではそれぞれ非格子状であるために、鋳物型の抜き作業に支障が生じないようになっている。これにより鋳物型が上下に二分割される単純な構造であっても、座１３を鋳物により一体成形できるようになる。
【００２０】
そしてこの端子箱１１は、座１３が回転電機本体に取り付けられ、ケーブル引き込み口７やケーブル引き出し口８に対して機密を保持できる状態に維持してケーブルを引き込んで接続した後、蓋１２を被せ、それぞれのフランジ１２ｂ，１３ｂを締結具１４により締結して接合面１２ａ，１３ａを接合して構成される。
【００２１】
このように構成すれば、端子箱１１を構成する蓋１２および座１３を、従来のように補強リブを溶接して取り付ける作業を行なうことなく、また鋳物型の構造を複雑にすることなく、鋳物で一体成形できるので、蓋１２および座１３のそれぞれにおいて十分な機械的強度を得ることができるとともに部品点数も少なくなり、製作費用の低減や製作期間の短縮を図ることができる。しかも蓋１２には補強リブを設けないので、外形寸法を小さくすることができ、非耐圧防爆構造の端子箱と同程度の大きさに構成することができ、さらには回転電機本体との組み合わせ状態での全体寸法も小さくすることができる。
【００２２】
また、鋳物型は、二分割の単純な構造で良く、鋳物型の製作に多大な時間や費用を要することがない。さらに蓋１２には補強リブがなく、また座１３には一方向に延びていて非格子状の外部補強リブ１３ｄが形成されているだけであるので、蓋１２および座１３のそれぞれに水が溜まるようなことがなく、このため水抜き用の孔を形成する必要もない。
【図面の簡単な説明】
【００２３】
【図１】（ａ）ないし（ｃ）は本発明における回転電機の端子箱を示し、（ａ）は端子箱の外形を示す正面図、（ｂ）は（ａ）の右側面図、（ｃ）は（ｂ）のＣ−Ｃ線矢視断面図である。
【図２】（ａ）ないし（ｃ）は従来の回転電機本体に付設される耐圧防爆構造の端子箱を示し、（ａ）は端子箱の外形を示す正面図、（ｂ）は（ａ）の右側面図、（ｃ）は（ｂ）のＣ−Ｃ線矢視断面図である。
【符号の説明】
【００２４】
１，１１…端子箱
２，１２…蓋
２ａ，３ａ，１２ａ，１３ａ…接合面
２ｂ，３ｂ，１２ｂ，１３ｂ…フランジ
３，１３…座
４，１４…締結具
５，６…補強リブ
７…ケーブル引き込み口
８…ケーブル引き出し口
１３ｃ…内部補強リブ
１３ｄ…外部補強リブ
【図１】
2006149085.tif 000003
【図２】
2006149085.tif 000004